(57)【特許請求の範囲】
【請求項１】
蒸気を上方に向かって排出する蒸気排出部が前面に設けられた機器が収容される機器収容部の上方に、前面が鏡板で構成された物品収容部が形成された機器組込用キャビネットであって、前記鏡板における前記蒸気が上昇してくる部分に、耐水性を備えたシート材を貼り付けたことを特徴とする機器組込用キャビネット。
【請求項２】
前記シート材が貼り付けられる部分が、前記鏡板の下端部または上端部少なくとも一方の木口部を含む請求項１に記載の機器組込用キャビネット。
【請求項３】
前記シート材を、注意書きや注意を促す記号等が表示された注意ラベルで構成した請求項１または２に記載の機器組込用キャビネット。
【請求項４】
前記シート材を、ポリエステルフィルムの表面にポリプロピレンのラミネートフィルムを貼り付けて構成した請求項１ないし３のうちのいずれか一つに記載の機器組込用キャビネット。
【発明の詳細な説明】
【技術分野】
【０００１】
本発明は、食器洗い乾燥機や食器乾燥機等を収容する機器収容部の上方に所定の物品を収容する物品収容部が形成された機器組込用キャビネットに関する。
【背景技術】
【０００２】
従来から、キッチンユニットとして、シンクや加熱装置が設けられたキャビネットと並んで食器洗い乾燥機や食器乾燥機を収容する機器収容部を備えた機器組込用キャビネットが設けられたものがある（例えば、特許文献１参照）。このキャビネットでは、下部に生ごみ処理機が収容され上部に食器洗い乾燥機が収容されている。そして、キャビネットの後部に設けられた排気ダクトから生ごみ処理機や食器洗い乾燥機から生じる蒸気を外部に排出するように構成されている。しかしながら、これによると排気ダクトを壁部を貫通させて外部に通じさせなければならないため、取付作業が大掛かりになり施工コストが高くなる。このため、食器洗い乾燥機等の前面に蒸気排出部を設け、機器組込用キャビネットの前方から室内側に向けて蒸気を排出するように構成した機器組込用キャビネットもある。
【特許文献１】特開２００３−１９０４４号公報
【発明の開示】
【０００３】
しかしながら、前述した従来の機器組込用キャビネットでは、排気ダクトを前方に向けた場合には、蒸気が前方に排出されるため台所で作業する人等にかかる恐れがある。また、排気ダクトを上方に向けた場合には、機器組込用キャビネットにおける食器洗い乾燥機の上方に引き出しを設けると、その引き出しの前面部を構成する鏡板やその上に配置されるカウンターの下面に蒸気が接触して結露が生じる。そして、その結露が雫となって鏡板の下端部の木口部のエッジに溜まったり、カウンターの下面から鏡板の上端部の木口部に流れたりして、鏡板が吸水して膨れる場合がある。このため、鏡板が美観を損ね見栄えが悪くなるという問題が生じる。
【０００４】
本発明は、前述した問題に対処するためになされたもので、その目的は、食器洗い乾燥機や食器乾燥機等から発生する蒸気を吸水することのない鏡板を備えた物品収容部を有する機器組込用キャビネットを提供することである。
【０００５】
前述した目的を達成するため、本発明に係る機器組込用キャビネットの構成上の特徴は、蒸気を上方に向かって排出する蒸気排出部が前面に設けられた機器が収容される機器収容部の上方に、前面が鏡板で構成された物品収容部が形成された機器組込用キャビネットであって、鏡板における蒸気が上昇してくる部分に、耐水性を備えたシート材を貼り付けたことにある。前記のように構成した本発明の機器組込用キャビネットでは、鏡板における蒸気と接触する部分に耐水性のシート材を貼り付けたため、鏡板が吸水することが防止される。
【０００６】
また、本発明に係る機器組込用キャビネットの他の構成上の特徴は、シート材が貼り付けられる部分が、鏡板の下端部または上端部の少なくとも一方の木口部を含むことにある。これによると、結露が鏡板の前面に溜まって雫となって鏡板の下端部に落ちてきたり、カウンターの下面から鏡板の上端部に流れてきたりしても、木口部のエッジ部分から吸水することがなくなる。一般に、鏡板は木口部の各エッジ部分が吸水しやすくなっているため、雫が溜まり易いエッジ部分を含む木口部をシート材でシールすることにより吸水を効果的に防止できる。
【０００７】
また、本発明に係る機器組込用キャビネットのさらに他の構成上の特徴は、シート材を、注意書きや注意を促す記号等が表示された注意ラベルで構成したことにある。この場合の注意書きや記号としては、「食器洗い乾燥機の運転中には引き出しを開けない！」や食器洗い乾燥機運転中の蒸気による温度上昇によって浮かび上がる開放禁止のマーク等とすることができる。これによると、物品収容部を引き出しで構成した場合には、使用者に注意を促がして、食器洗い乾燥機の運転中に引き出しを開けて、引き出しの底部を蒸気で傷めたり、キャビネット内が結露したりするといったことを防止できる。なお、シート材は、色や柄付きのものを使用しても良いが、透明なシートに注意書き等を表示したものを使用することによって、鏡板自体の意匠を損ねないように構成することも可能である。
【０００８】
また、本発明に係る機器組込用キャビネットのさらに他の構成上の特徴は、シート材を、ポリエステルフィルムの前面にポリプロピレンのラミネートフィルムを貼り付けて構成したことにある。これによると、良好な耐水性を備えたシート材が得られるため、鏡板を前面に備えた物品収容部の適正な保護が可能になる。
【発明を実施するための最良の形態】
【０００９】
以下、本発明の一実施形態に係る機器組込用キャビネットを図面を用いて詳しく説明する。図１は、同実施形態に係る機器組込用キャビネット２０を備えたキッチン１０を示しており、このキッチン１０は台所の壁面に沿って設けられている。また、このキッチン１０は、ガスキャビネット１２、機器組込用キャビネット２０およびシンクキャビネット１３からなるキャビネット１１ａの上部にカウンター１１ｂを配置して構成されている。
【００１０】
また、ガスキャビネット１２の上部におけるカウンター１１ｂの部分には、ガスレンジ１２ａが設けられ、シンクキャビネット１３の上部におけるカウンター１１ｂの部分には、水栓１３ａを備えたシンク１３ｂが設けられている。そして、ガスキャビネット１２におけるガスレンジ１２ａの下方に２個の引き出し１４ａ，１４ｂが設けられ、シンクキャビネット１３におけるシンク１３ｂの下方に２個の引き出し１５ａ，１５ｂが設けられている。また、キッチン１０の壁面部１６におけるガスレンジ１２ａの上方には、レンジフード１７が設けられ、レンジフード１７の横には壁面部１６に沿って複数の戸棚１８が設けられている。
【００１１】
機器組込用キャビネット２０は、中央部が食器洗い乾燥機２１を設置するための機器収容部に形成されており、この機器収容部内に、食器洗い乾燥機２１が、前面の開閉扉部２１ａを前方に露出させた状態で設置されている。そして、開閉扉部２１ａの前面上端部には左右に延びる把持部２１ｂが設けられており、この把持部２１ｂを持って操作することにより開閉扉部２１ａの開閉が行われる。また、図２に示したように、開閉扉部２１ａの前面における把持部２１ｂの近傍には、食器洗い乾燥機２１内で発生する蒸気を外部に排出するための排気ダクト２２が設けられている。図２において、二点鎖線ａで示した部分は、蒸気が排出される際に、通過する範囲を示している。
【００１２】
また、この排気ダクト２２は、図３および図４に示したように、開閉扉部２１ａの表面に形成された穴部（図示せず）から前方に向かって突出した略樋状に形成されており、前記穴部から円弧を描くようにして上方に向かう通路を備えている。そして、上方に向けて形成された開口部２２ａから蒸気を上方に排出する構成になっている。また、機器組込用キャビネット２０における機器収容部の下方には、引き出し２３が設けられ、機器収容部の上方には、引き出し２４が設けられている。そして、引き出し２４の前面部を構成する鏡板２４ａにおける排気ダクト２２の上方部分に注意ラベル２５が貼り付けられている。
【００１３】
この注意ラベル２５は、厚みが２５μｍのポリエステルフィルムに、厚みが１６μｍのポリプロピレンをラミネートして構成され、図５に示したように、上部側部分２５ａに、注意書き２６が印刷されている。この注意書き２６は、「扉・キャビネット内が結露により傷むおそれがあるため、食器洗い乾燥機の運転中に引き出しを開けない。」や「食器洗い乾燥機の運転後に、鏡板を濡れたままにしない。」等の内容になっており、食器洗い乾燥機２１を使用する際の注意を使用者に促す。また、注意ラベル２５の上部側部分２５ａと下部側部分２５ｂとの境界部分における一方の端部側には、目印となる黒点２６ａが印刷されている。
【００１４】
この注意ラベル２５の裏面には、強粘着性の接着剤が塗布されており、図６（ａ），（ｂ），（ｃ）に示したような状態で、注意ラベル２５は、鏡板２４ａに貼り付けられている。すなわち、注意ラベル２５は、注意書き２６が表示された上部側部分２５ａを鏡板２４ａの前面部分に位置させ、下部側部分２５ｂを、鏡板２４ａの下端の木口部２７ａに位置させた状態で、鏡板２４ａに貼り付けられている。
【００１５】
また、鏡板２４ａの各角部はそれぞれ曲面に形成されており、注意ラベル２５は、図７および図８に示したように、シンクキャビネット１３側の縁部を、鏡板２４ａの曲面部を含む木口部２７ｂと、鏡板２４ａの前面部分および木口部２７ａとの境界部に合わせた状態で貼り付けられている。また、その際、鏡板２４ａの前面部分と、曲面部を含む木口部２７ａとの境界部分に黒点２６ａを位置決めする。なお、鏡板２４ａは、ＭＤＦやパーチクルボード等の材料で構成され、前面に樹脂を含浸したりシリコンコーティングを施したりして耐水性を持たせている。
【００１６】
このように構成したため、食器洗い乾燥機２１の運転により、排気ダクト２２から蒸気が排出されると、その蒸気は、図２および図３に、二点鎖線ａで示した範囲内で上昇していく。その際、鏡板２４ａの下部における蒸気の通路になっている部分には、耐水性を有する注意ラベル２５が貼り付けられているため、蒸気が結露して雫になっても、鏡板２４ａが吸水することはない。また、鏡板２４ａの構造上最も吸水が生じやすい木口部２７ａにも注意ラベル２５が貼られているため、この部分からの吸水も防止される。さらに、注意ラベル２５には、注意書き２６が印刷されているため、食器洗い乾燥機２１の運転中に、使用者が不注意に、引き出し２４を開けてしまうことも防止される。これによって、引き出し２４が蒸気で傷んでしまうことが防止される。また、食器洗い乾燥機２１の運転後には、注意書き２６によって、結露や雫を拭き取ることを使用者に喚起することができる。
【００１７】
このように、本実施形態に係る機器組込用キャビネット２０では、鏡板２４ａにおける蒸気が上昇してくる部分に耐水性の注意ラベル２５を貼り付けたため、鏡板２４ａが吸水することを防止される。また、注意ラベル２５の下部側部分２５ｂが、鏡板２４ａの下端部の木口部２７ａに貼り付けられているため、結露が鏡板２４ａの前面に溜まって雫となって鏡板２４ａの下端部に落ちてきても、木口部２７ａから吸水することがなくなる。これによって、鏡板２４ａが吸水して膨れ、美観を損ねることが防止される。
【００１８】
さらに、注意ラベル２５における鏡板２４ａの前面に位置する上部側部分２５ａに、注意書き２６が印刷されているため、食器洗い乾燥機２１の運転中に引き出し２４を開けて、引き出し２４の底部を蒸気で傷めることを防止できる。また、注意ラベル２５を、ポリエステルフィルムの前面にポリプロピレンのラミネートフィルムを貼り付けて構成したため、良好な耐水性を備えた注意ラベル２５を得ることができ、鏡板２４ａの適正な保護が可能になる。
【００１９】
また、本発明に係る機器組込用キャビネットは、前述した実施形態に限定するものでなく、適宜、変更して実施することが可能である。例えば、前述した実施形態では、注意ラベル２５を鏡板２４ａの前面部分と木口部２７ａとの一部に貼り付けているが、これを鏡板２４ａの前面部分および木口部２７ａの全体、または鏡板２４ａの前面部分および木口部２７ａの蒸気が通過する部分全体にわたって貼り付けることもできる。また、鏡板２４ａの上端部の木口部に注意ラベル２５を貼り付けることにより、カウンター１１ｂの下面に生じた結露の雫が流れてきた場合であっても、吸水を抑えることが可能となる。
【００２０】
さらに、木口部２７ｂや鏡板２４ａの裏面側まで延ばして貼り付けることもできる。これによって、鏡板２４ａをより確実に防水することができる。また、注意ラベル２５を構成する材料としては、ポリエステルフィルムやポリプロピレンに限らず、耐水性を有する材料であれば他の材料でも使用することができる。さらに、注意書き２６が印刷された注意ラベル２５に代えて、記号や模様等が施されたシート材を用いることもできる。さらに、前述した実施形態では、食器洗い乾燥機収容部の上方の物品収容部を引き出し２４で構成しているが、開き扉を備えた収納部としても良い。なお、本発明に係る機器組込用キャビネットは、食器洗い乾燥機に限らず、食器乾燥機、俎板やふきんの乾燥機等、乾燥機能を備え蒸気を排出する各種機器に適用することができる。
【図面の簡単な説明】
【００２１】
【図１】本発明の一実施形態に係る機器組込用キャビネットを備えたキッチンを示した斜視図である。
【図２】機器組込用キャビネットにおける蒸気が通過する部分を示した正面図である。
【図３】図２の要部を示した斜視図である。
【図４】排気ダクトを示した側面図である。
【図５】注意ラベルを示した正面図である。
【図６】注意ラベルが貼り付けられた鏡板を示しており、（ａ）は平面図、（ｂ）は正面図、（ｃ）は側面図である。
【図７】図６（ａ）に二点鎖線ｂで囲った部分の拡大図である。
【図８】図６（ｂ）に二点鎖線ｃで囲った部分の拡大図である。
【符号の説明】
【００２２】
２０…機器組込用キャビネット、２１…食器洗い乾燥機、２２…排気ダクト、２４…引き出し、２４ａ…鏡板、２５…注意ラベル、２６…注意書き、２７ａ…木口部。
【図１】
0004579806.tif 000002
【図２】
0004579806.tif 000003
【図３】
0004579806.tif 000004
【図４】
0004579806.tif 000005
【図５】
0004579806.tif 000006
【図６】
0004579806.tif 000007
【図７】
0004579806.tif 000008
【図８】
0004579806.tif 000009